(57)【要約】【課題】  略Ｌ字状表皮一体発泡成形品からなるヘッドレストの脱型を容易化することである。【構成】  Ｌ字状のヘッドレストＨの前面部Ｈ1の後面１０１側を成形する成形型２に、成形後のヘッドレストＨの前記後面１０１に対して後退する方向にスライドする可動片１を設けたことを特徴とする。【選択図】  図３                         
2005288699.tif 000002
【特許請求の範囲】
【請求項１】
前面部とこの前面部の上部より後方に向けて一体に延設した頂部とからなる略Ｌ字状中空形態の表皮における頂部の底面より表皮内部にステーを挿入した後、表皮内に発泡液を注入して成形するヘッドレストの表皮一体発泡成形型であって、
該成形型における前面部の後面側を成形する部分に、前後方向にスライドする可動片を設けて、脱型時に可動片を後退させてなるヘッドレストの表皮一体発泡成形型構造。
【請求項２】
前記可動片の上方に、前記頂部の底面の一部又は全面と前面部の後面上端部成形用の固定部を設けてなる請求項１記載の表皮一体発泡成形型構造。
【発明の詳細な説明】
【技術分野】
【０００１】
本発明は前面部とこの前面部の上部より後方に向けて一体に延設した頂部を有し、この頂部の底面より内部にステーが挿入される略Ｌ字状のヘッドレスト成形用の表皮一体発泡成形型構造に関する。
【背景技術】
【０００２】
従来のヘッドレストには、例えば、特開平１１ー２９０１５４号公報に開示されているように、前面部と、この前面部の上部より後方に向けて一体に延設した頂部とからなる側面略Ｌ字状のものが知られている。
【０００３】
これは、前面部の後面と頂部の底面とを剛性を有する板で成形し、この板にステーを接続している。
【０００４】
一方、特開平１０ー３２９１５１号公報に開示されているように、ヘッドレストを表皮一体発泡成形型で成形したものが開示されている。
【０００５】
【特許文献１】特開平１１−２９０１５４号
【特許文献２】特開平１０−３２９１５１号
【発明の開示】
【発明が解決しようとする課題】
【０００６】
前記前者はヘッドレストを表皮一体発泡成形型で成形しているが、ヘッドレストを発泡成形型で成形する際、ステーを一体に発泡成形型にセットして成形すると、ステーと成形時のヘッドレストの前面部後面との間に介在する成形型の一部により、成形後のヘッドレストの脱型が行い難い不具合がある。
【０００７】
一方、Ｌ字状のヘッドレストでない後者の如く、ステーをヘッドレストの底面形状に合致する保形板に挿通することにより、保形板と共にステー付のヘッドレストを容易に脱型できるが、側面略Ｌ字状のヘッドレストに使用すると、略Ｌ字状のヘッドレストはその前面部の上下方向の長さが長いため、ステーから保形板を脱出する際、或いは、発泡成形前に保形板にステーを挿通する際における作業性が頗る悪い不具合が生じる。
【０００８】
そこで、本発明は側面Ｌ字状で内部にステーを有するヘッドレストの表皮一体発泡成形型において、ヘッドレスト成形後の脱型を容易にすることを目的とする。
【課題を解決するための手段】
【０００９】
以上の目的を達成するための本発明に係るヘッドレストの表皮一体発泡成形型構造は、前面部とこの前面部の上部より後方に向けて一体に延設した頂部とからなる略Ｌ字状中空形態の表皮における頂部の底面より表皮内部にステーを挿入した後、表皮内に発泡液を注入して成形するヘッドレストの表皮一体発泡成形型であって、該成形型における前面部の後面側を成形する部分に、前後方向にスライドする可動片を設けて、脱型時に可動片を後退させる構成である。
【００１０】
以上の構成により、発泡成形型における脱型時に、成形型本体の可動片を後退させることにより、成形後のヘッドレストにおける前面部と可動片との間に隙間が生じる。
【００１１】
そして、前記可動片の上方に、前記頂部の底面の一部又は全面と前面部の後面上端部成形用の固定部を設けることにより、脱型時にステーを引くと、固定部を中心にヘッドレストの前面部の後面が前記隙間内に入り込む。
【発明の効果】
【００１２】
本請求項１の発明によれば、成形型でのヘッドレストの発泡成形型の脱型時に、可動片とヘッドレストの前面部後面との間の間隙により、容易にヘッドレストを脱型できる。
【００１３】
本請求項２の発明によれば、脱型時においてステーを引くことにより、前述の如く、前記隙間内に成形後のヘッドレストの後面が入り込むため、更に脱型作業が容易になる。
【発明を実施するための最良の形態】
【００１４】
以下、本発明の一実施例を図面に基づいて説明する。
【００１５】
本発明によって成形する表皮一体発泡成形のヘッドレストＨは、図４に示すような外形形態であり、図中Ｈ1はヘッドレストＨの前面部、Ｈ2は前面部Ｈ1の上部より後方に略直角状に一体に延設した頂部を各々示す。
【００１６】
以上のヘッドレストＨの頂部Ｈ2底面１０２より前面部Ｈ1内にステーＳが挿入され、このステーＳは頂部Ｈ2底面１０２より下方に突出し、シートバック（不図示）に取付けられる。
【００１７】
そして、ヘッドレストＨは図示するように略Ｌ字状の中空形態に縫製した表皮を成形型にセットして内部にパッド成形用の発泡液を注入することにより、前記表皮内のステーＳと共に表皮をパッドと一体に発泡成形することにより成形される。
【００１８】
図１は略Ｌ字状中空形態の表皮内にステーＳを挿入し、成形型にセットして、表皮内に前記発泡液を注入した状態を示す。
【００１９】
図２は図１の状態より、パッドを表皮と一体に発泡成形した後、成形型より脱型する状態を各々示す。
【００２０】
以上の成形型は前記ヘッドレストＨの外面を囲むように多数の割り型３０、３１、３２から構成されている。図中３３…はヒンジを示す。
【００２１】
以上のヘッドレストＨの前面部Ｈ1の後面１０１及び頂部Ｈ2の底面１０２の一部に対応する割り型２には可動片１が設けてある。
【００２２】
この可動片１は図１に示すように、ヘッドレストＨの成形時に成形型の一部を構成するように、即ち、ヘッドレストＨの前面部Ｈ1の後面１０１を成形するように収納空間部１Ｂから押し出されている。
【００２３】
そして、図２、図３に示すようにヘッドレストＨを発泡成形後は、収納空間部１Ｂに収納され、発泡成形したヘッドレストＨの前面部Ｈ1の後面１０１との間に隙間１Ａが生じるように、可動片１は前後方向にスライド可能に割り型２に取付けられている。
【００２４】
図中１０は可動片１の支持プレートで、この支持プレート１０に割り型２を挿通するＬ字状の把手１１が固定され、把手１１を押引することにより、可動片１がスライドするように構成されている。なお、可動片１は前記パッドの発泡時の発泡圧によってスライドすることがないように種々の方法、例えば、摩擦力によって発泡時のスライドを規制している。
【００２５】
そして、この可動片１の上方である割り型２の先端部には固定部２０が設けてあり、この固定部２０はヘッドレストＨの頂部Ｈ2底面１０２の一部又は全面と前面部Ｈ1の後面１０１の上端部に対応する位置に設けて、底部１０２の一部又は全面、後面１０１の上端部を所定の外形形状に成形し得るように構成されている。
【００２６】
固定部２０は図示するようにヘッドレストＨの頂部Ｈ2底面１０２における一部を成形するように、底面１０２の他の部分を別の割り型３２を設けることにより、脱型し易く、しかも、図１に示すように、割り型３２と割り型２とでステーＳを挟持して発泡成形できるため、成形型内に、中空略Ｌ字状の表皮を的確にセットできる。
【００２７】
以上のように成形型は構成されているため、ヘッドレストＨを成形型で成形後、図２、図３に示すように脱型する際、可動片１を後退させて収納空間部１Ｂ内に収納し、可動片１のヘッドレストＨ側に隙間１Ａを設けているため、左右一対のステーＳの下部を割り型２から離れる方向に引くと、この隙間１Ａ内にヘッドレストＨの前面部Ｈ1の後面１０１側が入れ込み、次にステーＳを図２、図３矢印方向に押し上げると、割り型２からヘッドレストＨは容易に取り外すことができる。
【００２８】
以上のステーＳを割り型２から離れる方向に引く際に、固定部２０がこの支点の作用をするから、ヘッドレストＨの前面部Ｈ1における後面１０１側が隙間Ａ1に入り易いため、脱型が更に容易になる。
【図面の簡単な説明】
【００２９】
【図１】成形時の状態を示す断面図である。
【図２】脱型時の状態を示す断面図である。
【図３】脱型時の部分拡大図である。
【図４】本発明に係る成形型で成形するヘッドレストの斜視図である。
【符号の説明】
【００３０】
１…可動片、２…ヘッドレストの前面部の後面側を成形する割り型、２０…固定部、
Ｓ…ステー、Ｈ…ヘッドレスト、Ｈ1…ヘッドレストの前面部、Ｈ2…ヘッドレストの頂  部。
【図１】
2005288699.tif 000003
【図２】
2005288699.tif 000004
【図３】
2005288699.tif 000005
【図４】
2005288699.tif 000006